(57)【特許請求の範囲】
【請求項１】
携帯端末機におけるアクセスポイント（ＡＰ）接続装置であって、
周辺に存在するＡＰの項目を使用者の選択に応じたグループに設定し、ＡＰの使用要請が発生した場合、既に設定された複数のグループのリストを出力するグループ設定部と、
前記ＡＰへの接続の際、既に設定された複数のグループのうちのいずれか一つのグループを選択し、前記周辺に存在するＡＰを検索した後、使用者によって選択されたグループに属する複数のＡＰのリストを分類して出力し、前記選択されたグループに属するＡＰに接続してアプリケーションの実行を感知した場合、アプリケーションが保安性を要求する等級に該当するか否かを確認し、保安等級に該当しないＡＰに接続された状態で保安性を要求する等級に該当するアプリケーションが実行される場合、前記保安等級に該当しないＡＰの接続を解除して前記保安等級に該当するＡＰに接続するＡＰ検索部と、を備えることを特徴とするＡＰ接続装置。
【請求項２】
前記ＡＰ検索部は、前記アプリケーションの実行を感知した場合、該アプリケーションの等級に該当するグループのＡＰを検索することを特徴とする請求項１に記載のＡＰ接続装置。
【請求項３】
前記ＡＰ検索部は、前記実行を感知したアプリケーションがワイファイ接続を行うか否か確認することを特徴とする請求項２に記載のＡＰ接続装置。
【請求項４】
前記グループ設定部は、保安性の高いＡＰを一つのグループとして設定することを特徴とする請求項１に記載のＡＰ接続装置。
【請求項５】
前記ＡＰ検索部は、前記グループに属するＡＰを優先順位に従って接続することを特徴とする請求項１に記載のＡＰ接続装置。
【請求項６】
携帯端末機におけるアクセスポイント（ＡＰ）接続方法であって、
周辺に存在するＡＰの項目を使用者の選択に応じたグループに設定するステップと、
ＡＰの使用要請が発生した場合、既に設定された複数のグループのリストを出力するステップと、
前記ＡＰへの接続の際、既に設定された複数のグループのうちのいずれか一つのグループを選択するステップと、
前記周辺に存在するＡＰを検索した後、使用者によって選択されたグループに属する複数のＡＰのリストを分類して出力するステップと、
前記選択されたグループに属するＡＰに接続するステップと、
アプリケーションの実行を感知した場合、アプリケーションが保安性を要求する等級に該当するか否かを確認するステップと、
保安等級に該当しないＡＰに接続された状態で保安性を要求する等級に該当するアプリケーションが実行される場合、前記保安等級に該当しないＡＰの接続を解除して前記保安等級に該当するＡＰに接続するステップと、を有することを特徴とするＡＰ接続方法。
【請求項７】
前記アプリケーションの実行を感知した場合、該アプリケーションの等級に該当するグループのＡＰを検索するステップを更に含むことを特徴とする請求項６に記載のＡＰ接続方法。
【請求項８】
前記アプリケーションの等級に該当するグループのＡＰを検索するステップは、
前記実行を感知したアプリケーションがワイファイ接続を行うか否かを確認するステップを含むことを特徴とする請求項７に記載のＡＰ接続方法。
【請求項９】
前記ＡＰの項目をグループとして設定することは、保安性の高いＡＰを一つのグループとして設定することであることを特徴とする請求項６に記載のＡＰ接続方法。
【請求項１０】
前記選択されたグループに属するＡＰに接続するステップは、前記グループに属するＡＰを優先順位に従って接続するステップであることを特徴とする請求項６に記載のＡＰ接続方法。
【請求項１１】
携帯端末機におけるアクセスポイント（ＡＰ）接続装置であって、
ＡＰを分類しようとするグループを選択する入力部と、
ＡＰの使用要請が発生した場合、グループ化されたＡＰのリストを出力する表示部と、
周辺に存在するＡＰの項目を使用者の選択に応じたグループに設定し、前記ＡＰへの接続の際、前記周辺に存在するＡＰを検索した後、使用者によって選択されたグループに属する複数のＡＰのリストを分類して出力し、前記選択されたグループに属するＡＰに接続してアプリケーションの実行を感知した場合、アプリケーションが保安性を要求する等級に該当するか否かを確認し、保安等級に該当しないＡＰに接続された状態で保安性を要求する等級に該当するアプリケーションが実行される場合、前記保安等級に該当しないＡＰの接続を解除して前記保安等級に該当するＡＰに接続するＡＰ管理部と、
前記入力部、表示部、及びＡＰ管理部を制御し、グループ化されたＡＰとの接続を制御する制御部と、を備え、
前記ＡＰ管理部は、周辺のＡＰの信号を受信するワイファイモジュールを含むことを特徴とするＡＰ接続装置。
【請求項１２】
前記ＡＰ管理部は、実行されるアプリケーションの等級に該当するＡＰのグループを確認することを特徴とする請求項１１に記載のＡＰ接続装置。
【発明の詳細な説明】
【技術分野】
【０００１】
本発明は、携帯用端末機におけるアクセスポイント（ＡＰ）接続装置及びその方法に関し、より詳細には、携帯用端末機で検索した周辺のＡＰのグループを指定し、使用者によって選択されたグループに該当するＡＰへの接続を試みるための装置及びその方法に関するものである。
【背景技術】
【０００２】
最近、携帯用端末機は、現代人にとってなくてはならない必需品として老若男女を問わず使用されており、サービス提供者及び端末機製造者は、他の会社との差別化のために製品（又はサービス）を競争して開発している。
【０００３】
例えば、携帯用端末機は、フォンブック、ゲーム、短文メッセージ、電子メール、モーニングコール、ＭＰ３、日程管理機能、デジタルカメラ、マルチメディアメッセージ、及び無線インターネットサービスが可能なマルチメディア機器に発展し、多様なサービスを提供している。
【０００４】
このような携帯用端末機において、マルチメディアメッセージと無線インターネットを含むパケットデータサービスを利用するためには、該当サービスのアクセスポイント（ＡＰ）と接続を行わなければならない。
【０００５】
即ち、携帯用端末機は、ＡＰにデータを伝送することでパケットデータサービスを利用するものであり、アクセスポイントが存在しない環境では、パケットデータサービスを利用することができない。
【０００６】
パケットデータサービスを利用するため、一般的に、携帯用端末機は、周辺に存在するＡＰを検索した後、信号の強度が大きいＡＰを優先的に接続しようとする。
【０００７】
もし、使用者に許可されたＡＰと使用者に許可されていないＡＰが混在している状況で、使用者に許可されていないＡＰの信号の強度が大きい場合、携帯用端末機は、使用者に許可されていないために接続が不可能なＡＰに周期的に接続しようとする不必要な動作を行うことになる。
【０００８】
それだけではなく、携帯用端末機は、多数の個人情報をセーブしているため、ＡＰのハッキングによって個人情報が流出され得る問題点が発生する。
【０００９】
従って、このような問題点を解決するために、携帯用端末機において、ＡＰを介した個人情報の流出を防止し、使用者に許可されたＡＰとの接続を試みるための装置及びその方法が求められている。
【先行技術文献】
【特許文献】
【００１０】
【特許文献１】韓国特許出願公開第１０−２００９−００８７７３７号明細書
【発明の概要】
【発明が解決しようとする課題】
【００１１】
本発明は、上記従来の問題点に鑑みてなされたものであって、本発明の目的は、携帯用端末機において、周辺に存在するＡＰをグループ化し、グループに属するＡＰへの接続を試みるための装置及びその方法を提供することにある。
また、本発明の目的は、携帯用端末機において、実行されるアプリケーションの保安等級（セキュリティクラス）に該当するＡＰへの接続を試みるための装置及びその方法を提供することにある。
【課題を解決するための手段】
【００１２】
上記目的を達成するためになされた本発明の一態様による携帯用端末機におけるアクセスポイント（ＡＰ）接続装置は、周辺に存在するＡＰの項目を使用者の選択に応じたグループに設定するグループ設定部と、前記ＡＰへの接続の際、前記周辺に存在するＡＰを検索した後、選択された項目に属するＡＰを分類し、該分類したＡＰに接続するＡＰ検索部と、を備えることを特徴とする。
【００１３】
上記目的を達成するためになされた本発明の一態様による携帯用端末機におけるアクセスポイント（ＡＰ）接続装方法は、周辺に存在するＡＰの項目を使用者の選択に応じたグループに設定する過程と、前記ＡＰへの接続の際、前記周辺に存在するＡＰを検索した後、選択された項目に属するＡＰを分類する過程と、前記分類したＡＰに接続する過程と、を有することを特徴とする。
【００１４】
上記目的を達成するためになされた本発明の他の態様による携帯用端末機におけるアクセスポイント（ＡＰ）接続装置は、ＡＰを分類しようとするグループを選択する入力部と、グループ化されたＡＰのリストを出力する表示部と、周辺に存在するＡＰの項目を使用者の選択に応じたグループに設定し、前記ＡＰへの接続の際、前記周辺に存在するＡＰを検索した後、選択された項目に属するＡＰを分類し、該分類したＡＰに接続するＡＰ管理部と、前記入力部、表示部、及びＡＰ管理部を制御し、グループ化されたＡＰとの接続を制御する制御部と、を備え、前記ＡＰ管理部は、周辺のＡＰの信号を受信するワイファイモジュールを含むことを特徴とする。
【発明の効果】
【００１５】
本発明によれば、携帯用端末機の周辺に存在するＡＰをグループ化して管理し、グループに属するＡＰに対して優先順位に従って接続を試みるため、許可されていないＡＰへの不必要な接続動作を防止し、また保安性（セキュリティ）の高いグループを設定することで、ＡＰを介した情報流出を防止することができる。
【図面の簡単な説明】
【００１６】
【図１】本発明の一実施形態によるグルーピングされたＡＰを検索する携帯用端末機の構成を示すブロック図である。
【図２】本発明の一実施形態による携帯用端末機のＡＰ接続過程の一例を示すフローチャートである。
【図３】本発明の一実施形態による携帯用端末機のＡＰ接続過程の他の例を示すフローチャートである。
【図４】本発明の一実施形態による携帯用端末機のＡＰ検索画面を示す図である。
【発明を実施するための形態】
【００１７】
以下、本発明を実施するための形態の具体例を、図面を参照しながら詳細に説明する。本発明を説明するに当たって、関連する公知機能或いは構成に対する具体的な説明が本発明の要旨を不明確にする恐れがあると判断される場合には、その詳細な説明を省略する。
【００１８】
以下の説明では、本発明による携帯用端末機を利用して周辺に存在するＡＰをグループ化して管理し、グループに属するＡＰを優先順位に従って接続を試みるための装置及びその方法について説明する。
【００１９】
図１は、本発明の一実施形態によるグルーピングされたＡＰを検索する携帯用端末機の構成を示すブロック図である。
【００２０】
図１を参照すると、携帯用端末機は、制御部１００、ＡＰ管理部１０２、メモリ部１０８、入力部１１０、表示部１１２、及び通信部１１４を含んで構成され、ＡＰ管理部１０２は、ＡＰ検索部１０４及びグループ設定部１０６を含んで構成される。
【００２１】
先ず、携帯用端末機の制御部１００は、携帯用端末機の全般的な動作を制御する。例えば、音声通話及びデータ通信のための処理及び制御を行う。それだけではなく、制御部１００は、無線インターネットを含むパケットデータサービスを利用するために周辺のＡＰを検索し、検索したＡＰと接続するように処理し、検索したＡＰをグループ化して管理する。
【００２２】
従って、制御部１００は、既に設定されたグループのうち、使用者が選択したグループに属するＡＰのみに接続を試みるように処理する。
【００２３】
ＡＰ管理部１０２は、制御部１００の制御を受けて周辺に存在するＡＰを検索してグループ化し、グループ化されたＡＰ（使用者によって選択されたグループに属するＡＰ）に接続するようにする。
【００２４】
ＡＰ管理部１０２のＡＰ検索部１０４は、ワイファイモジュールを含んでもよく、携帯用端末機の周辺に存在するＡＰを検索し、検索されたＡＰの項目をリスト化して出力する。また、ＡＰ検索部１０４は、ＡＰ管理部１０２の制御を受け、使用者によって選択されたグループに属するＡＰのうち、信号の強度が大きいＡＰを優先順位に従って接続するようにする。
【００２５】
ＡＰ管理部１０２のグループ設定部１０６は、多数のＡＰのうち、接続しようとするＡＰを一つのグループに設定するものであり、使用者の選択に応じて多数のグループを設定してもよい。
【００２６】
メモリ部１０８は、ＲＯＭ、ＲＡＭ、フラッシュＲＯＭで構成される。ＲＯＭは、制御部１００及びＡＰ管理部１０２の処理及び制御のためのプログラムのマイクロコードと各種の参照データをセーブする。
【００２７】
ＲＡＭは、制御部１００のワークメモリであり、各種プログラムを行う際に発生する一時的なデータをセーブする。また、フラッシュＲＯＭは、電話番号簿、発信メッセージ及び受信メッセージのような更新可能な各種保管用データをセーブする。
【００２８】
入力部１１０は、０〜９の数字キーボタンと、メニューボタン、キャンセルボタン、確認ボタン、通話ボタン、終了ボタン、インターネットアクセスボタン、ナビゲーションキー（又は方向キー）ボタン、及び文字入力キーなど、多数の機能キーを具備し、使用者が押すキーに対応するキー入力データを制御部１００に提供する。
【００２９】
表示部１１２は、携帯用端末機の動作の途中で発生する状態情報、文字、多量の動画及び静止画像などをディスプレイするものであり、ＡＰ検索の際、グループ化されたＡＰのリストを出力する。表示部１１２は、カラー液晶ディスプレイ装置を使用してもよく、表示部１１２は、タッチ入力装置を具備してタッチ入力方式の携帯用端末機に適用する場合、入力装置として使用してもよい。
【００３０】
通信部１１４は、アンテナ（図示せず）を介して入出力されるデータの無線信号を送受信処理する機能を行う。例えば、送信の場合、送信するデータをチャンネルコーディング及び拡散した後、ＲＦ処理して送信する機能を行い、受信の場合、受信されたＲＦ信号を基底（ベースバンド）帯域信号に変換し、基底帯域信号を逆拡散及びチャンネル復号してデータを復元する機能を行う。
【００３１】
ＡＰ管理部１０２の役割は、携帯用端末機の制御部１００によって行われてもよいが、本実施形態でこれを別途に構成して図示したのは説明の便宜のための例示的な構成であって決して本発明の範囲を制限しようとするものではなく、当業者であれば本発明の範囲内で多様な変形構成が可能であることを理解できるはずである。例えば、これら全てを制御部１００で処理するように構成してもよい。
【００３２】
図２は、本発明の一実施形態による携帯用端末機のＡＰ接続過程の一例を示すフローチャートである。
【００３３】
図２を参照すると、携帯用端末機は、先ず、ステップ２０１で周辺に存在するＡＰのリストを出力した後、ステップ２０３に進行して、それぞれのＡＰに対するグループを設定する。一例として、携帯用端末機は、ステップ２０１〜２０３で、周辺に存在するＡＰに対する保安等級（セキュリティクラス）によってグループを設定してもよい。この例において、ＡＰに対する保安等級は、全ての使用者に解放されたＡＰの等級、認証番号を登録して個人のみが接続できるＡＰの等級、特定インターネットサイトの接続を制限するＡＰの等級であってもよい。
【００３４】
このようにＡＰに対するグループを設定した携帯用端末機は、ＡＰの情報と設定されたグループをテーブル化してセーブする。
【００３５】
次に、携帯用端末機は、ステップ２０５に進行し、使用者によるＡＰ使用（ＡＰ接続）要請（例：Ｗｉ−Ｆｉネットワーク使用要請）が発生するのかを確認する。
【００３６】
もし、ステップ２０５で使用者によるＡＰ使用要請が発生しない場合、携帯用端末機は、ステップ２２１に進行し、該当機能（例：待機モード）を行う。
【００３７】
一方、ステップ２０５で使用者によるＡＰ使用要請が発生した場合、携帯用端末機は、ステップ２０７に進行し、既に設定されたグループのリストを出力した後、ステップ２０９に進行して使用者の選択を感知し、使用者が使用しようとするＡＰのグループを確認する。
【００３８】
次に、携帯用端末機は、ステップ２１１に進行し、周辺に存在するＡＰを検索した後、ステップ２１３に進行して検索されたＡＰに該当するグループを確認する。
【００３９】
携帯用端末機は、検索されたＡＰの情報と既にセーブしたテーブル化されたグループ情報を比較し、ＡＰに該当するグループを確認する。
【００４０】
次に、携帯用端末機は、ステップ２１５に進行し、ステップ２１１で検索したＡＰのうち、ステップ２０９で使用者が選択したグループに属するＡＰを分類した後、ステップ２１７に進行し、分類されたＡＰの優先順位を設定する。ここで、分類されたＡＰの優先順位は、ＡＰの信号の強度であってもよい。
【００４１】
次に、携帯用端末機はステップ２１９に進行し、優先順位に応じてＡＰ接続を行う。
【００４２】
これによって、携帯用端末機は、使用者の特性に応じたグループに該当するＡＰと接続し、使用者が接続しようとするＡＰ以外の他のＡＰとの接続の試みを防止することができる。
【００４３】
最後に、携帯用端末機は、本アルゴリズムを終了する。
【００４４】
図３は、本発明の一実施形態による携帯用端末機のＡＰ接続過程の他の例を示すフローチャートである。
【００４５】
図３を参照すると、携帯用端末機は、先ず、ステップ３０１でＡＰと接続した後、ステップ３０３で使用者の要請に応じてアプリケーションを実行する。
【００４６】
次に、携帯用端末機は、ステップ３０５に進行し、使用者が実行しようとするアプリケーションがワイファイ接続を必要とするアプリケーションであるのかを確認する。ここで、ワイファイ接続を必要とするアプリケーションは、電子メールアプリケーション、ツイッターアプリケーションのように、無線インターネット接続を必要とするアプリケーションを意味する。
【００４７】
もし、ステップ３０５でワイファイ接続を必要としないアプリケーションを実行しようとすることを確認した場合、携帯用端末機は、ステップ３１７に進行し、該当機能（例：要請されたアプリケーションの実行）を行う。
【００４８】
一方、ステップ３０５でワイファイ接続を必要とするアプリケーションを実行しようとすることを確認した場合、携帯用端末機は、ステップ３０７に進行し、使用者が実行しようとするアプリケーションの等級を判断する。ここで、アプリケーションの等級は、使用者の個人情報の保護を示す等級であり、金融アプリケーション、業務用電子メールアプリケーション、個人用電子メールアプリケーションなどと同じ保安等級のアプリケーションと、ゲームアプリケーション、メッセンジャーアプリケーションなどと同じ一般等級のアプリケーションとで区分することができる。
【００４９】
次に、携帯用端末機は、ステップ３０９に進行し、ステップ３０７で判断したアプリケーションの等級を確認する。
【００５０】
もし、ステップ３０９で保安性を要求するアプリケーションの保安等級を確認した場合、携帯用端末機は、既に接続中のＡＰの保安等級を確認した後、ステップ３１３に進行してステップ３１１で確認したＡＰの等級が保安等級に該当するＡＰであるのかを確認する。ここで、ＡＰの保安等級は、図２で説明したように、全ての使用者に解放されたＡＰの等級、認証番号を登録して個人のみが接続できるＡＰの等級、特定インターネットサイトの接続を制限するＡＰの等級であってもよく、保安等級に該当するＡＰは、特定インターネットサイトの接続を制限するＡＰの等級であってもよい。
【００５１】
もし、ステップ３１３で保安等級に該当するＡＰと接続中であることを確認した場合、携帯用端末機は、ステップ３１５に進行し、保安等級に該当するＡＰ接続を介したアプリケーションを駆動して、使用者の個人情報を保護するように処理する。
【００５２】
一方、ステップ３１３で保安等級に該当しないＡＰと接続中であることを確認した場合、携帯用端末機は、ステップ３１９に進行し、保安等級に該当しないＡＰとの接続を解除した後、ステップ３２１に進行して保安等級に該当するＡＰを検索する。ここで、携帯用端末機は、図２で設定したグループ情報を利用して、保安等級に該当するＡＰを検索してもよい。
【００５３】
次に、携帯用端末機は、ステップ３１５に進行し、保安等級に該当するＡＰ接続を介したアプリケーションを駆動して、使用者の個人情報を保護するように処理する。
【００５４】
このように、図３に示す携帯用端末機は、使用者が実行するアプリケーションの等級に該当するＡＰを自動的に検索して接続し、使用者の個人情報を保護するようにする。
【００５５】
一方、ステップ３０９でアプリケーションが保安等級に該当しない一般等級であることを確認した場合、携帯用端末機は、ステップ３１５に進行し、一般等級に該当するＡＰ接続を介したアプリケーションを駆動して処理する。
【００５６】
最後に、携帯用端末機は、本アルゴリズムを終了する。
【００５７】
図４は、本発明の一実施形態による携帯用端末機のＡＰ検索画面を示す図である。
【００５８】
図４を参照すると、携帯用端末機は、ＡＰ検索の際、一般的に、図４（ａ）のように周辺ＡＰのリスト４０１を出力する。この際、携帯用端末機は、検索されたＡＰの名称（ＡＨＮ、ＴＥＡＭ１、ＴＥＡＭ２、ＯＦＦＩＣＥ、ＡＡＡ、２２２）、受信信号の強度及び接続設定状態（パスワード設定状態）などを表示する。
【００５９】
これに加えて、携帯用端末機は、出力されたそれぞれのＡＰに対してグループを設定してもよい。
【００６０】
携帯用端末機の使用者はそれぞれのＡＰに対してグループを設定することができ、上述のようにグループが設定されると、携帯用端末機は検索されたＡＰの項目の隣に設定された等級４０２を表示する。
【００６１】
一例として、携帯用端末機の使用者は、保安等級によってＡＰのグループを区分してもよい。即ち、使用者は、図４（ｃ）のように、特定インターネットサイトの接続を制限するＡＰ（ＴＥＡＭ１、ＴＥＡＭ２、ＯＦＦＩＣＥ）を第１保安等級として設定し、図４（ｄ）のように、個人所有のＡＰ（ＡＨＮ、ＡＡＡ、２２２）を第２保安等級として設定してもよい。
【００６２】
第１保安等級として設定されたＡＰは、自体が保安システムとしてスパム遮断及び安定性の低いサイトに対する接続を遮断する機能を備えたＡＰであってもよい。従って、使用者が第１保安等級として設定したＡＰを使用すべき場合には、第２保安等級に含まれたＡＰの信号の強度が大きくても、第１保安等級として設定されたＡＰと接続するようにする。
【００６３】
本発明によって、上述のようにＡＰに対してグループを設定した後、携帯用端末機の使用者がワイファイ機能を行うために無線ＬＡＮ設定メニューに進める場合、携帯用端末機は、ワイファイ機能を活性化するボタンと既に設定されたＡＰのグループ項目を出力する。図４（ｂ）のように、携帯用端末機は、既に設定された第１保安等級、第２保安等級、及び全てのＡＰの等級の項目４０３を出力して、使用者の選択に応じて該当等級のＡＰを検索するようにする。即ち、使用者が１保安等級を選択する場合、携帯用端末機は、図４（ｃ）のように１保安等級として設定されたＡＰを検索して接続しようとする。
【００６４】
このように１保安等級として設定されたＡＰを検索して接続する場合、携帯用端末機は、外部のインターネットに対する保安性が検証されたＡＰを介してＡＰのハッキングを防止し、インターネットを使用しても、主要情報（開発秘密、営業秘密、対外秘文書、個人認証情報など）の流出を防止することができる。
【００６５】
また、使用者が２保安等級を選択する場合、携帯用端末機は、図４（ｄ）のように２保安等級として設定されたＡＰを検索して接続しようとする。
【００６６】
それだけでなく、使用者が全てのＡＰを検索しようとする場合、携帯用端末機は、従来の携帯用端末機のように周辺に存在する全てのＡＰを検索して接続しようとする。
【００６７】
上述したように、本発明は、携帯用端末機の周辺に存在するＡＰをグループ化して管理するためのものであり、グループに属したＡＰを優先順位に従って接続を試みるため、許可されていないＡＰへの接続を試みる不必要な過程を省略し、保安性の高いグループを設定してＡＰを利用した情報流出を防止することができる。
【００６８】
以上、図面を参照しながら本発明の実施形態について詳細に説明したが、本発明は、上述の実施形態に限定されるものではなく、本発明の技術的範囲から逸脱しない範囲内で多様に変更実施することが可能である。
【符号の説明】
【００６９】
１００    制御部
１０２    ＡＰ管理部
１０４    ＡＰ検索部
１０６    グループ設定部
１０８    メモリ部
１１０    入力部
１１２    表示部
１１４    通信部
４０１    周辺ＡＰのリスト
４０２    ＡＰに設定された等級
４０３    第１、第２保安等級及び全てのＡＰの等級の項目
【図１】
0005980496.tif 000002
【図２】
0005980496.tif 000003
【図３】
0005980496.tif 000004
【図４】
0005980496.tif 000005